(57)【要約】  ハンドオーバ動作で用いる隣接セル情報を維持管理する方法および装置が開示される。例示的な方法によれば、移動機は、ハンドオーバ候補のセルに対応する１つ以上の隣接セルエントリを備えた高優先隣接セルリストおよび低優先隣接セルリストを維持管理する。高優先隣接セルリストに含まれる候補セルに対する信号強度測定は第１の測定スケジュールに従って行われるのに対して、低優先隣接セルリストに含まれる候補セルに対する信号強度測定は第２の測定スケジュールに従って行われる。１つ以上の実施形態によれば、低優先セルは高優先隣接セルより少ない頻度で測定される。
2010537478.tif 000002
【特許請求の範囲】
【請求項１】
移動局においてハンドオーバの際に使用される隣接セルリストを維持管理する方法であって、
ハンドオーバの候補となる候補セルに対応した１つ以上の隣接セルのエントリを備えた、高優先隣接セルリストおよび低優先隣接セルリストを維持管理するステップと、
第１の測定スケジュールにしたがって前記高優先隣接セルリストに属している候補セルについて信号強度測定を実行するステップと、
第２の測定スケジュールにしたがって前記低先隣接セルリストに属している候補セルについて信号強度測定を実行するステップと
を有することを特徴とする方法。
【請求項２】
高優先隣接セルリストおよび低優先隣接セルリストを維持管理する前記ステップは、
前記候補セルの信号強度の測定値が所定値を超えて変化すると、前記高優先隣接セルリストから前記低優先隣接セルリストへ隣接セルのエントリを移動するステップ
を含むことを特徴とする請求項１に記載の方法。
【請求項３】
高優先隣接セルリストおよび低優先隣接セルリストを維持管理する前記ステップは、
第１の時間間隔または第１の所定数の測定値において前記候補セルの信号強度の測定値が第１の閾値レベル未満に変化すると、前記高優先隣接セルリストから前記低優先隣接セルリストへ隣接セルのエントリを移動するステップ
を含むことを特徴とする請求項１に記載の方法。
【請求項４】
高優先隣接セルリストおよび低優先隣接セルリストを維持管理する前記ステップは、
第２の時間間隔または第２の所定数の測定値において前記候補セルの信号強度の測定値が第２の閾値レベルを超えて変化すると、前記低優先隣接セルリストから前記高優先隣接セルリストへ隣接セルのエントリを移動するステップ
を含むことを特徴とする請求項１に記載の方法。
【請求項５】
対応したエントリを前記高優先隣接セルリストへ移動するのに先立って、候補セルに関連付けられているセル識別情報を確認するステップをさらに有することを特徴とする請求項４に記載の方法。
【請求項６】
高優先隣接セルリストおよび低優先隣接セルリストを維持管理する前記ステップは、
前記高優先隣接セルリストに属している候補セルと在圏セルとのいずれか一方、または、該候補セルと該在圏セルとの両方についての信号強度の測定値を評価するステップと、
前記評価の結果にしたがって前記高優先隣接セルリストに含まれているエントリの数を調整するステップと
を含むことを特徴とする請求項１に記載の方法。
【請求項７】
前記高優先隣接セルリストに含まれているエントリの数を調整する前記ステップは、
前記高優先隣接セルリストに含まれているエントリのうち第１の予め定められた閾値を超えている信号強度の測定値に対応しているエントリの数が少なくとも所定の最小の数である場合、前記高優先隣接セルリストから１つ以上のエントリを削除するステップ
を含むことを特徴とする請求項６に記載の方法。
【請求項８】
前記高優先隣接セルリストに含まれているエントリの数を調整する前記ステップは、
前記高優先隣接セルリストに含まれているエントリのうち第２の予め定められた閾値を超えている信号強度の測定値に対応したエントリの数が所定の最小の数のエントリ未満となった場合、前記高優先隣接セルリストへ１つ以上のエントリを追加するステップ
を含むことを特徴とする請求項６に記載の方法。
【請求項９】
高優先隣接セルリストおよび低優先隣接セルリストを維持管理する前記ステップは、
在圏セルについて１つ以上の信号強度の測定値を評価するステップと、
前記評価に基づいて前記第１の測定スケジュールを調整するステップと
を含むことを特徴とする請求項１に記載の方法。
【請求項１０】
高優先隣接セルリストおよび低優先隣接セルリストを維持管理する前記ステップは、
前記高優先隣接セルリストに登録されている候補セルについて１つ以上の信号強度の測定値を評価するステップと、
前記測定値の評価の結果に基づいて前記第１の測定スケジュールを調整するステップとを含むことを特徴とする請求項１に記載の方法。
【請求項１１】
前記評価に基づいて前記第１の測定スケジュールを調整する前記ステップは、
前記高優先隣接セルリストに含まれているエントリのうち第１の予め定められた閾値を超えている信号強度の測定値に対応しているエントリの数が少なくとも所定の最小の数である場合、前記高優先隣接セルリストに属している候補セルについての信号強度の測定の頻度を低下させるステップ
を含むことを特徴とする請求項１０に記載の方法。
【請求項１２】
在圏基地局から１つ以上の隣接セルの識別情報を受信するステップと、
前記受信した識別情報を前記高優先隣接セルリストと前記低優先隣接セルリストと比較するステップと、
新しい隣接セルの識別情報に対応した隣接セルエントリを前記高優先隣接セルリストに追加するステップと
をさらに有することを特徴とする請求項１に記載の方法。
【請求項１３】
新しい隣接セルを発見するために１つ以上の周波数範囲にわたりスキャンを実行するステップと、
前記高優先隣接セルリストに対して新しい隣接セルについての隣接セルエントリを追加するステップと
を含むことを特徴とする請求項１に記載の方法。
【請求項１４】
第１の識別情報確認スケジュールにしたがって前記高優先隣接セルリストにおける候補セルについての識別情報を確認するステップと、
第２の識別情報確認スケジュールにしたがって前記低優先隣接セルリストにおける候補セルについての識別情報を確認するステップと
をさらに有することを特徴とする請求項１に記載の方法。
【請求項１５】
前記高優先隣接セルリストにおける候補セルについての識別情報が確認されてからの前記移動局が移動した距離を評価するステップと、
前記距離が所定の距離を越えた場合、前記高優先隣接セルリストにおける候補セルについての識別情報を確認するステップと
をさらに有することを特徴とする請求項１に記載の方法。
【請求項１６】
前記移動局の動きを評価するステップと、
前記移動局の動きに従って前記第１の測定スケジュールと前記第２の測定スケジュールのいずれか一方、または、該第１の測定スケジュールと該第２の測定スケジュールとの両方を調整するステップと
をさらに有することを特徴とする請求項１に記載の方法。
【請求項１７】
第１の報告スケジュールにしたがって前記高優先隣接セルリストにおける候補セルについての信号強度の測定値を基地局へ報告するステップと、
第２の報告スケジュールにしたがって前記低優先隣接セルリストにおける候補セルについての信号強度の測定値を基地局へ報告するステップと
をさらに有することを特徴とする請求項１に記載の方法。
【請求項１８】
移動局であって、
送受信機部と、
１つ以上の処理回路と
を備え、
前記１つ以上の処理回路は、
ハンドオーバの候補となる候補セルに対応した１つ以上の隣接セルのエントリを備えた、高優先隣接セルリストおよび低優先隣接セルリストを維持し、
第１の測定スケジュールにしたがって前記高優先隣接セルリストに属している候補セルについての信号強度測定を、前記送受信機部を使用して実行し、
第２の測定スケジュールにしたがって前記低先隣接セルリストに属している候補セルについての信号強度測定を前記送受信機部を使用して実行する回路であることを特徴とする移動局。
【請求項１９】
前記１つ以上の処理回路は、第１の時間間隔または第１の所定数の測定値において前記候補セルの信号強度の測定値が第１の閾値レベル未満に変化すると、前記高優先隣接セルリストから前記低優先隣接セルリストへ隣接セルのエントリを移動することによって、前記高優先隣接セルリストおよび前記低優先隣接セルリストを維持管理することを特徴とする請求項１８に記載の移動局。
【請求項２０】
前記１つ以上の処理回路は、第２の時間間隔または第２の所定数の測定値において前記候補セルの信号強度の測定値が第２の閾値レベルを超えて変化すると、前記低優先隣接セルリストから前記高優先隣接セルリストへ隣接セルのエントリを移動することによって、前記高優先隣接セルリストおよび前記低優先隣接セルリストを維持管理することを特徴とする請求項１８に記載の移動局。
【請求項２１】
前記１つ以上の処理回路は、前記高優先隣接セルリストに属している候補セルと在圏セルとのいずれか一方、または、該候補セルと該在圏セルとの両方についての信号強度の測定値を評価し、前記評価の結果にしたがって前記高優先隣接セルリストに含まれているエントリの数を調整することによって、前記高優先隣接セルリストおよび前記低優先隣接セルリストを維持管理することを特徴とする請求項１８に記載の移動局。
【請求項２２】
前記１つ以上の処理回路は、前記高優先隣接セルリストに含まれているエントリのうち第１の予め定められた閾値を超えている信号強度の測定値に対応しているエントリの数が少なくとも所定の最小の数である場合、前記高優先隣接セルリストから１つ以上のエントリを削除することによって、前記高優先隣接セルリストおよび前記低優先隣接セルリストを維持管理することを特徴とする請求項２１に記載の移動局。
【請求項２３】
前記１つ以上の処理回路は、在圏セルと、前記高優先隣接セルリストに属している候補セルとのいずれか一方または両方についての信号強度の測定値を評価し、前記評価に基づいて前記第１の測定スケジュールを調整することを特徴とする請求項１８に記載の移動局。
【請求項２４】
前記１つ以上の処理回路は、前記高優先隣接セルリストに含まれているエントリのうち第１の予め定められた閾値を超えている信号強度の測定値に対応しているエントリの数が少なくとも所定の最小の数である場合、前記高優先隣接セルリストに属している候補セルについての信号強度の測定の頻度を低下させることによって、前記第１の測定スケジュールを調整することを特徴とする請求項２３に記載の移動局。
【請求項２５】
前記１つ以上の処理回路は、
在圏基地局から１つ以上の隣接セルの識別情報を受信し、
前記受信した識別情報を前記高優先隣接セルリストと前記低優先隣接セルリストと比較し、
新しい隣接セルの識別情報に対応した隣接セルエントリを前記高優先隣接セルリストに追加することを特徴とする請求項１８に記載の移動局。
【発明の詳細な説明】
【技術分野】
【０００１】
本発明は、一般に移動通信ネットワークに関し、より詳細には、移動通信ネットワーク内のユーザ端末による隣接セルリストの管理に関する。
【背景技術】
【０００２】
たいていのセルラ無線システムにおいて、移動機は、自装置が接続して通信し得る基地局（セル）を探索して検出することが求められている。最先端技術では、セル変更およびハンドオーバの候補を識別するために、隣接セルからの基地局信号を周期的にモニタする方法に加えて、（例えば、移動機に最初に電源が入れられたときに実行される）イニシャルサーチ（初期探索）プロセスと接続プロセスの両方のための方法を有する。
【０００３】
これらのいわゆる隣接セルを検出してモニタするために種々のセルラ無線システム（例えば、ＧＳＭ、ＣＤＭＡ、ＷＣＤＭＡ、ＷｉＭＡＸおよびＬＴＥ）で用いられる方法は、いくらかの詳細は異なるが、多くの特徴を共有している。移動機は、潜在的な基地局からのビーコン信号（例えば、制御チャネル）をスキャンするための周波数のリストを通常格納している。正当な技術（例えばＷＣＤＭＡ）からのビーコン信号がリストに含まれている周波数の中の１つで検出された場合、移動機は、対応するシステム情報を読み取ろうとする。システム情報から、移動機は対応する基地局（セル）の識別情報と、移動機が基地局に接続を許可されているか否かとを判定してもよい。基地局が適格である場合、移動機は、その基地局のビーコンチャネルの周期的な信号強度測定を開始してもよい。次いで、測定した信号強度のデータは、どのセルに接続すべきかおよびハンドオーバを開始すべきかどうかを決定するために、セル選択およびセル切り替えアルゴリズムが使用される。信号強度の測定に加えて、他の信号品質パラメータが測定され、セル選択およびセル切り替えのために使用されてもよい。
【０００４】
いくつかの隣接セルのそれぞれに対する信号強度測定の実施と並行して、移動機は、各隣接セルのビーコン信号（例えば、共通制御チャネル）に符号化された識別情報を周期的に読み取ってもよい。これを実行することによって、そのビーコンキャリアに同じ周波数を使用する第２の基地局の信号が段々と強くなり、第１の基地局と間違われる可能性を減少する。すなわち、基地局識別の混乱およびハンドオーバの誤決定をもたらすことがある現象の起こる確率が減少する。例えばＧＳＭでは、この再識別手順は、少なくとも３０秒ごとに１回繰り返される。
【０００５】
現在の移動通信システムにおいて、所与のセル内におけるすべての移動機は、移動機がセルのどこに位置しているかにかかわらず、同じ隣接セルリストに関して信号強度を測定する。しかし多くの状況において、同じセル内の２つの移動機は、全く異なる無線環境にありうる。セルの一端にある移動機は、そのセルの反対端の直ぐ近傍にある隣接セルを「聞き取れ（受信でき）」ないかもしれない。セルの地形またはビルの存在によって、ある移動端末への電波伝播は妨げられるが、別の移動端末への電波伝播は妨げられないこともある。ある移動機は、１つ以上のマイクロセルまたは屋内セルの近くにあるかもしれないのに対して、別の移動機は、これらの範囲が限定されたセルの圏外にある。
【発明の概要】
【発明が解決しようとする課題】
【０００６】
現行手段の１つの懸案事項は、測定すべき隣接セル数が増加すると、測定精度が一般に下がってしまうことである。（隣接セルモニタリングに移動機が時間を使いすぎてしまうことを避けるために、各隣接セルのモニタリングに費やす時間を少なくしているので、これは通常起こる）。従って、現実的なハンドオーバ候補でない隣接セルを測定することで、現実的なハンドオーバ候補の測定品質が下がってしまうのである。場合によっては、その測定誤りが、移動機に最良のハンドオーバ候補でない基地局を選択させてしまうかもしれないし、最悪の場合には、ハンドオーバに失敗するかもしれないし、接続が切れてしまうかもしれない。
【０００７】
また、マルチ技術無線ネットワーク（例えば、ＷＣＤＭＡ／ＧＳＭ／ＬＴＥ）の採用および異なるセルレイヤ（例えば、マイクロセル、マクロセル、屋内セルおよびホーム基地局セル）の使用で、所与のセル、特にマクロセルに隣接した隣接セルの数は、非常に大きくなることがある。隣接セル信号のスキャン、測定および識別は、移動端末で時間および処理リソースを消費するので、移動端末がすべての潜在的な隣接セルを頻繁にかつ正確に処理することは不可能かもしれない。すべての隣接セルの処理が可能な場合でさえ、測定精度が影響を受ける恐れがあり、移動端末のスループット、バッテリ使用時間、またはハンドオーバ性能が低下する恐れがある。
【課題を解決するための手段】
【０００８】
本発明は、ハンドオーバ動作で用いる隣接セル情報を維持管理する方法および装置を提供する。例示的な方法では、移動機が高優先隣接セルリストおよび低優先隣接セルリストを維持し、各隣接セルリストは、ハンドオーバ候補のセルに対応した１つ以上の隣接セルエントリを備える。高優先隣接セルリストに含まれる候補セルの信号強度測定が第１の測定スケジュールに従って行われるのに対して、低優先隣接セルリストに含まれる候補セルの信号強度測定は第２の測定スケジュールに従って行われる。少なくとも１つの実施形態においては、低優先隣接セルは高優先隣接セルより少ない頻度で測定される。
【０００９】
本発明の種々の実施形態によれば、高優先隣接セルリストおよび低優先隣接セルリストは、対応する信号強度測定値または他の信号品質測定値に基づき調整される。従って、あるセルの信号強度測定値が所定の期間または所定の測定回数にわたり所定の閾値を下回る場合、その隣接セルのエントリは、高優先隣接セルリストから低優先隣接セルリストへ移動されてもよい。同様に、あるセルの信号強度測定値が一定の期間または測定回数にわたり所定の閾値を上回る場合、その隣接セルのエントリは、低優先隣接セルリストから高優先隣接セルリストへ移動されてもよい。他の実施形態によれば、高優先隣接セルリストのエントリ数が、リストの候補セルの信号強度測定値に基づき調整されてもよい。
【００１０】
複数の隣接セルリストを使用し、２つ（以上）のリストに対して異なるスケジュールで信号測定および／またはセル確認手順を実行することによって、隣接セル処理に使用されるであろう移動端末のリソースが解放される。従って、いくつかの実施形態によれば、バッテリの使用時間が延びることになろう。いくつかの実施形態によれば、解放されたリソースが追加のデータトラヒックを処理するために使用されてもよい。種々の実施形態において、解放されたリソースは、最も有望なハンドオーバ候補についてより頻繁にまたはより長く信号強度測定を実行し、それによって測定精度を向上させるために使用されてもよい。
【００１１】
本明細書に記載の隣接セル情報を維持管理するための方法の１つ以上を実行するように構成された、対応する移動端末の実施形態も開示されている。もちろん、本発明は、上記の特徴および利点に限定されない。それどころか、当業者は、以下の詳細な説明を読み、添付の図面を見ることで、さらなる特徴および利点を認識するであろう。
【図面の簡単な説明】
【００１２】
【図１】隣接セルリストを１つだけ使用するように構成された移動端末を含む移動通信ネットワークを示す図である。
【図２】本発明の１つ以上の実施形態による、高優先隣接セルリストおよび低優先隣接セルリストを使用するように構成された移動端末を有する移動通信ネットワークを示す図である。
【図３Ａ】例示的な信号強度測定・セル識別情報確認スケジュールを示す図である。
【図３Ｂ】例示的な信号強度測定・セル識別情報確認スケジュールを示す図である。
【図４】移動端末において隣接セル情報を維持管理するための例示的な方法を示すフロー図である。
【図５】本発明の１つ以上の実施形態に従って構成された例示的な移動端末を示す図である。
【発明を実施するための形態】
【００１３】
ここで添付図面を参照すると、図１は、移動通信ネットワーク１００を示す。このネットワークは、それぞれのセルが基地局１２０からサービスを受ける相当数のセル１１０内に位置している１つ以上の移動機１４０（ユーザ装置、ＵＥまたは移動端末とも呼ばれる）の通信をサポートする。各通信セルはある地理的範囲をカバーするので、複数の隣接するまたは重なり合うセルを配備することによって、広い地域をカバーし得る。移動端末１４０は、あるセル１１０内で通信しているところが示されており、システム１００の中をあちこち移動することができる。
【００１４】
基地局１２０は、１つ以上のセル（セルセクタまたはセクタとも呼ばれる）に対して無線カバレッジを提供するために、１つ以上の無線送受信機を有する。各基地局１２０は、ネットワーク「バックボーン」またはコアネットワークインフラストラクチャ（図示せず）に接続されており、これにより、基地局と、移動通信ネットワークの他の部分と、公衆交換電話網（ＰＳＴＮ）およびインターネットなどの他のネットワークとの間の通信が可能になる。図１の例示的システムは、セル当たり１つの基地局１２０を示すが、単一の基地局１２０が、たぶん異なる周波数を使用して複数のセクタにサービスを提供する構成などの他の構成は周知である。
【００１５】
通話セッションまたはデータセッション中ならびにアイドルモード中、移動端末１４０は、地域を自由にあちこち移動できる。そうしているうちに、移動端末は、時折最初のセルを出て、最初のセルに隣接する新しいセルに侵入するかもしれない。こうして、特定の移動機にサービスを提供するセルは、実際の通信セッション中に何度か変更されうる。移動端末と基地局との間にアクティブな無線リンクが確立されている間のセル変更プロセスは、ハンドオフまたはハンドオーバと呼ばれる。ハンドオーバ決定プロセスは、利用可能および他の点で適切ないくつかの基地局送信機のそれぞれから移動端末が受信した信号品質の判定を基礎として実行されることが多い。特定のネットワーク次第では、ハンドオーバ決定は、１つ以上の基地局サイト、在圏基地局、移動端末またはいくつかの組み合わせを制御するネットワーク要素が収集した情報を使用して実行されてもよい。
【００１６】
いずれにしても、セル間の確実なハンドオーバを可能にするために、周知の隣り合った同種のもののリスト、いわゆる隣接セルリストが、ネットワーク１００と移動端末１４０の一方または両方によって使用されてもよい。例として、ネットワーク１００は、システム内の各セルに対する隣接セルのセットに関する情報を、例えば、無線ネットワーク制御装置要素（図示せず）に格納してもよい。ネットワーク要素かまたは移動機によるハンドオーバが必要と決定したときに、移動端末との無線リンクを継続してサポートする「最良」のセルが特定される。この最良のセルの特定は、在圏セルおよび隣接セルによって送信された信号に（移動端末が）対して行った信号品質測定に通常基づいて実行される。従って、隣接セルリストは、ハンドオーバ候補のセルの測定を計画するために使用されてもよい。
【００１７】
既存のシステムでは通常、移動端末１４０が、隣接セルからブロードキャストされた信号を測定することによって、隣接セルのセル動作パラメータを検出および測定する。測定される１つの動作パラメータは、セルに非一意的に割り当てられているスクランブリングコードなどの物理層識別子から通常構成されるセル識別子である。測定される他の動作パラメータも隣接セルの信号品質に関係し、信号強度、信号品質（例えば、信号対雑音プラス干渉比）およびタイミング情報を含んでもよい。ネットワークによっては、これらの動作パラメータの１つ以上が、通常、アップリンク制御チャネルを通じて在圏基地局に測定データを送信することによって、移動機からネットワーク制御エンティティ（例えば無線ネットワーク制御装置）に報告されてもよい。隣接セルの品質が現在の在圏セルより良いと判定されると、在圏セルから、選択された隣接セル（「ターゲット」セル）へのハンドオーバがネットワークによって命令されてもよい。システムによっては、ネットワークが開始するハンドオーバに加えてまたはその代わりに、ハンドオーバは、類似の基準に基づき移動機によって開始されてもよい。どちらにしても、次いでハンドオーバのターゲットセルが、移動端末に対する在圏セルになる。
【００１８】
上述したように先行技術のシステムでは、移動端末１４０は、通常、隣接セルリストを１つだけ維持管理する。図１では、例示的な隣接セルリスト１５０の一部が示されている。隣接セルリスト１５０は、移動端末１４０の現在位置を取り囲むセルのそれぞれに対応する周波数指定を有する。隣接セルリスト１５０は、スクランブリングコード、セル識別子等のような他の情報（図示せず）も有してもよい。図１のネットワーク構成が実際よりも単純化されていることを当業者は理解するであろう。実際のところ、特にマルチレイヤシステム（例えば、ＧＳＭセルに重なり合うかもしくは隣接するＷ−ＣＤＭＡセル、またはマクロセル内のマイクロセル）の配備のせいで、隣接セルの配列は大きく変わることがあり、潜在的な隣接セル数が非常に大きいことがある。
【００１９】
図２は、図１と同じ無線ネットワーク１００を示すが、本発明を具現する移動端末２４０を有する。図１の移動端末１４０とは対照的に、図２に例示的な移動端末２４０は、高優先隣接セルリスト２５０および低優先隣接セルリスト２６０の２つの相異なる隣接セルリストを使用する。高優先隣接セルリスト２５０および低優先隣接セルリスト２６０の一部が図２には再現されている。高優先隣接セルリスト２５０は、移動端末２４０の現在位置に最も近い隣接セルに対応する周波数指定を保持している。これらの最も近いセルは、ハンドオーバまたはセル再選択の最も有望な対象であることを意味する。他方、低優先隣接セルリスト２６０は、現在の在圏セルに隣接した残りのセルに対応した周波数指定を保持している。これらのセルは、ハンドオーバまたは再選択の対象にはあまりなりそうにない。ネットワークのチューニングや現地の地形次第で、移動端末２４０は、低優先隣接セルリスト２６０のセルのいくつかを実際に聞き取ることができないかもしれない。（図２では、「最も近い」セルは在圏セルに物理的に隣接しているセルだけを含む。一般に最優先隣接セルは、移動機が最も聞き取れそうなセルという意味で「最も近い」セルが含まれることを、当業者は理解するであろう。恐らくマクロセルおよびマイクロセルを有する複雑なシステムおよび／または異なる無線アクセス技術からの信号カバレッジが重なり合う複雑なシステムでは、高優先信号と物理的近さとの関係は同様に複雑であろう）
高優先隣接セルリスト２５０および低優先隣接セルリスト２６０の内容は、基地局から提供されたシステム情報に基づいた内容であってもよいし、また移動端末が１つ以上の適用可能な周波数の範囲においてスキャンで観測できたすべてのセルに基づいて、移動端末が作成してもよい。例として一実施形態によれば、隣接セルリストに含めるために、ＧＳＭまたはＷＣＤＭＡシステムから隣接セルリストをブロードキャストしてもよい。この隣接セルリストを受信した移動端末は、種々の技術を用いてこのリストを高優先隣接セルリスト２５０と低優先隣接セルリスト２６０とに分類してもよい。例えば、候補セルは、各隣接セルの信号強度または信号品質の初期観測値に基づき、あるいは移動端末および隣接セルに関する位置データに基づき、リスト間で割り振られてもよい。いくつかの実施形態によれば、移動端末は、システムが識別した隣接セルのすべてを高優先隣接セルリスト２５０に当初置いておき、信号品質情報が収集されるにつれていくつかの隣接セルを低優先隣接セルリスト２６０に移動してもよい。そのような実施形態によれば、（ハンドオーバ完了後などに）システムが新しく識別した隣接セルは、自動的に高優先隣接セルリストに置かれ、さらなる情報が収集されるまでそこに残されてもよい。
【００２０】
隣接セルを高優先隣接セルリスト２５０および低優先隣接セルリスト２６０に割り当てる類似の技術は、移動端末が適切な周波数をスキャンすることによって隣接セルを識別する実施形態で用いられてもよい。例として、そのような移動端末は、初期の周波数スキャンで識別したすべての隣接セルを高優先隣接セルリスト２５０に当初置いてもよい。移動端末がより正確な信号強度情報を有するように情報をより多く収集した後に、例えば、１つ以上の隣接セルが低優先隣接セルリスト２６０に移動されてもよい。
【００２１】
一般に、高優先隣接セルリスト２５０は、ハンドオーバの最も有望な対象の隣接セルを含むのが好ましい。高優先候補の数を（総隣接セル数に比べて）減らすことによって、候補は、ハンドオーバに関してより迅速かつより正確に評価され得る。しかし、信号環境は継続的に変化することがあるので、低優先候補を完全に無視することはできない。それ故、低優先隣接セルリスト２６０は、あまり見込みのない候補を把握しておくために維持される。
【００２２】
従って、いくつかの実施形態によれば、移動機が、高優先隣接セルリスト２５０と低優先隣接セルリスト２６０の両方のセルからの信号強度（または他の信号品質基準）を周期的に測定して報告する。しかし、低優先隣接セルリスト２６０のセルに対する測定および／または報告の間隔は、高優先隣接セルリスト２５０のセルより頻度が低くてもよい。また、移動機は、高優先隣接セルリスト２５０のセルに対してセル識別を周期的に実行してもよい。低優先隣接セルリスト２６０のセルに対しては、これらのセルへのハンドオーバは起こりそうにないので、セル識別を実行する必要が全くなくてもよい。低優先隣接セルに対してセル識別が実行される場合、どんな場合でもより低い頻度で実行されてもよい。
【００２３】
図３は、信号強度測定プロセスおよびセル識別プロセスに関する例示的な測定サイクルを示す。図３Ａでは、３つの高優先隣接セルｈｐ１、ｈｐ２、ｈｐ３が４つの低優先隣接セルｌｐ１、ｌｐ２、ｌｐ３、ｌｐ４と一緒にモニタされている。ＳＳ−ｈｐ１、ＳＳ−ｈｐ２、ＳＳ−ｈｐ３で示される高優先セルに対する信号強度測定は、低優先セル（ＳＳ−ｌｐ１、ＳＳ−ｌｐ２等）に対する信号強度測定より頻繁に行われている。また、ＩＤ−ｈｐ１、ＩＤ−ｈｐ２、ＩＤ−ｈｐ３で示される高優先セルに対するセル識別が定期的に行われているが、低優先セルに対しては全く行われていない。
【００２４】
いくつかの実施形態によれば、高優先セル、低優先セルのどちらかの報告スケジュールは、例えば、在圏セルおよび／または高優先セルに関して観察された信号強度データ次第で変更されてもよい。より具体的には、強い信号が在圏セルまたは１つ以上の高優先セルから受信されるとき、必要な測定は少なくてもよい。このことは図３Ｂに示されており、高優先セルに対するいくつかの測定サイクルが、図３Ａのスケジュールに比べて完全に除かれている。当業者は理解するであろうが、いくつかの隣接セルが高い信号強度を有することによって、所与の時間間隔のうちにこれらの隣接セルのすべてが徐々に消えて行くことは起こりそうになくなっている。その結果として、測定はより少ない頻度で実行されて、他のタスクのために移動端末リソースの解放および／またはバッテリ使用の節約をしてもよい。
【００２５】
簡潔に上述したように、高優先隣接セルリスト２５０および低優先隣接セルリスト２６０の内容は、時間とともに変わってもよい。例として、一定の期間継続して「適格」とされた低優先隣接セルは、低優先隣接セルリストから高優先隣接セルリストに移動または「昇格」されてもよい。いくつかの実施形態によれば、１回または所定の測定回数にわたり所定の閾値を超える信号強度を示す隣接セルは昇格されてもよい。他の実施形態によれば、高優先セルの隣接セルの信号強度が所定の期間信号強度閾値未満へ衰えるかまたは落ちるとき、低優先隣接セルリスト２６０から高優先隣接セルリスト２５０へ１つ以上の隣接セルを移動することによって、最低数の高優先隣接セルが維持されてもよい。
【００２６】
同様に、一定の期間または測定回数にわたり一定の適格基準を満たさない高優先隣接セルは、高優先隣接セルリスト２５０から低優先隣接セルリスト２６０へ移動または「降格」されてもよい。時折、降格処理および昇格処理が実行される状態は、移動機がセル内をあちこち移動するので標準的な状態であると当業者であれば理解するであろう。さらに、上述のように、ネットワークが初めて検出または初めて識別したとき、この新しいセルはどちらかのリストに追加されてもよいし、一方で、あるセルについてもはや聞き取れないときには、一方または両方のリストからその登録を消去されてもよい。通常、新しいセルが初めて聞き取られるとき、または基地局から送信されたシステム情報で初めて識別されるとき、測定値の収集または一意のセルＩＤの識別の遅延を最小にするために、そのセルは高優先隣接セルリストに直接追加される。
【００２７】
ハンドオーバを実行する際に、ハンドオーバ直後の無線環境はハンドオーバ直前の無線環境と非常に似ていそうなので、移動機の既存のリストはそのまま維持されてもよい。隣接セル情報を基地局から受信する実施形態によれば、移動機が新しく識別した隣接セルは、直前に述べたように高優先隣接セルリスト２５０に追加されてもよい。同様に、基地局から受信した新しいシステム情報にもはや登録されていない隣接セルは、リストから除去されてもよい。
【００２８】
いくつかの実施形態によれば、隣接セルとしてシステムが識別しないが、移動機が聞き取れて識別可能なセルは、移動端末から基地局に報告されてもよい。この情報（信号強度情報を通常有してもよい）は、移動端末に送信される隣接セル情報を適合させるためにシステムで使用してもよい。例として、同じ隣接セルが繰り返しまたはいくつかの移動機によって識別される場合、他の移動端末が新しい隣接セルをモニタし得るように、その隣接セルは基地局から送信される隣接セル情報に追加されてもよい。多くの実施形態によれば、基地局は、送信するシステム情報に含まない隣接セルに関してさえ、システム調整および診断の目的で報告された隣接データを維持管理するように構成されてもよい。
【００２９】
本発明の種々の実施形態によれば、高優先隣接セルリスト２５０および低優先隣接セルリスト２６０のサイズおよび／または構成を決定するために、追加の要因が使用される。セルが優先度の異なるリストの間をなぜ移動される必要があるかに関しては、いくつかの理由があってもよい。例えば、在圏セルの信号強度が低くなる場合、ハンドオーバが行われそうである。この状況の下では、高優先隣接セルリスト２５０は、低優先隣接セルリスト２６０から１つ以上のセルを昇格させることによって、隣接セルをより多く含むように調整されてもよい。他方、在圏セルの信号強度が強くはっきりしている場合、高優先隣接セルリストに維持される必要があるセルはたぶん少なくなる。そのような場合、高優先隣接セルリストの１つ以上の隣接セル、恐らく信号強度または信号品質の測定値が最低のセルは、低優先隣接セルリスト２６０に降格されてもよい。いくつかの実施形態によれば、信号強度測定値にかなりの偏差を示す隣接セルがリスト間を動かされてもよい。場合によっては、そのような隣接セルは、高信号強度の隣接セルが現在いくつかモニタされている場合、降格されてもよい。他の場合には、特に高品質隣接セルが少数しか観察されない場合は、そのような隣接セルは、より頻繁にモニタするためにかえって昇格されてもよい。
【００３０】
隣接セル識別は信号強度測定とは全く異なるプロセスであり、状況によっては必要とされなくてもよい。信号強度は、一般に一定のスケジュールで測定される（とは言え優先度のより高い隣接セルはより頻繁に測定される）が、セルの一意の識別情報は特定の場合だけ確認される必要がある。いくつかの実施形態によれば、例えば、隣接セルのセル識別情報は、隣接セルを高優先隣接セルリスト２５０に追加する前に、または隣接セルを低優先隣接セルリスト２６０から高優先隣接セルリスト２５０へ昇格する前に確認される。
【００３１】
有力なハンドオーバ候補と考えられるセルに関する一意のセルＩＤは、ハンドオーバが直前に要請されることがあるので、知っておくべきである。他方、低優先隣接セルリスト２６０のセルは、一般に有力なハンドオーバ候補とは考えられない。それ故、このセルに関してモニタされた信号が実際に適正な一意のセルＩＤに対応することの確認は、重要性が薄い。高優先隣接セルリスト２５０と低優先隣接セルリスト２６０との両方のセルのセル識別情報は周期的にチェックされてもよい。しかしリソースを大事に使うために、その実行間隔は、高優先隣接セルリスト２５０と低優先隣接セルリスト２６０では異なってもよい。いくつかの実施形態によれば、一方または両方のリストにおけるセルの識別情報は、特定のイベントの発生時に再確認されてもよい。例として、セル再選択時、または移動機が所定の距離を移動したと判定するとき、移動機が測定している信号が同じセルから来ていることを確認するため、一方または両方のリストのセルの識別情報が確認されてもよい。
【００３２】
図４は、本発明の１つ以上の実施形態に従う、移動機において隣接セル情報を維持管理するための例示的方法を示す。図示の方法は、ブロック４１０のモニタすべき隣接セルの決定から始まる。上述したように、いくつかの実施形態によれば、候補隣接セルは、在圏基地局から移動機へ送信されるシステム情報から識別されてもよい。他の実施形態によれば、候補隣接セルのリストは、隣接セルサイトから送信された信号を発見するために１つ以上の周波数帯をスキャンすることによって決定される。いくつかの実施形態によれば、２つの技術を混合して使用してもよい。
【００３３】
いずれにせよ、モニタされる候補となる隣接セルは、ブロック４２０に示される少なくとも１つの高優先隣接セルリストおよび少なくとも１つの低優先隣接セルリストに分類される。詳細に上述したように、高優先隣接セルリストと低優先隣接セルリストへの候補隣接セルの割り振りは、信号強度を含む相当数の要因に従って行われてもよい。複数の高優先隣接セルリストおよび／または複数の低優先隣接セルリストが使用されてもよいことを当業者は理解するであろう。いくつかの実施形態によれば、例として候補セルは、信号品質測定値に加えて、セルタイプ（例えば、マクロセルもしくはマイクロセル）または信号タイプ（例えば、ＧＳＭもしくはＷ−ＣＤＭＡ）に従って、複数の高優先隣接セルリストおよび／または複数の低優先隣接セルリストに分類されてもよい。高優先隣接セルリストおよび低優先隣接セルリストのそれぞれは、信号品質測定および／またはセルＩＤ確認に関して全く異なるスケジュールに関係してもよい。
【００３４】
従って、ブロック４３０で、高優先セルに対していつ信号強度測定を行うかを決定するために、高優先隣接セルリストに関係するスケジュールが調査されてもよい。ブロック４４０に示されるように、適切な間隔で高優先セルからの信号が測定される。同様に、低優先隣接セルリストに関係する別のスケジュールがブロック４５０で調査され、スケジュールされた間隔で信号強度測定がブロック４６０で行われる。
【００３５】
また別のスケジュールに従って、ブロック４７０および４７５で測定データが在圏基地局に報告される。いくつかの実施形態によれば、このスケジュールは低優先測定スケジュールおよび高優先測定スケジュールのどちらか一方と同時に起こってもよい。他の実施形態によれば、報告スケジュールは測定スケジュールと全く無関係でもよい。（また別の実施形態によれば、低優先隣接セルリストおよび高優先隣接セルリストの一方または両方の測定データは全く報告されなくてもよい）
ブロック４８０では、隣接セルリストの調整および／または測定スケジュールの一方もしくは両方の調整が必要かどうかを判定するために、信号強度または他の信号品質情報が（移動機によって、とは言え場合によっては、在圏基地局または他のネットワーク要素によって）評価される。隣接セルリストおよび／または測定スケジュールの調整は、ブロック４９０および４９５に示されている。データ評価および隣接セルリスト／測定スケジュール調整プロセスは、各パスに関して処理ループを通して繰り返されるように図４に示されているが、これらのプロセスが測定スケジュールとは無関係なスケジュールで実行されてもよいことを、当業者は理解するであろう。上述のように、所与のセルに対する信号強度測定または他の信号品質測定は、そのセルが降格されるべきかそれとも昇格されるべきかを決定するために分析されてもよい。いくつかの実施形態によれば、高優先隣接セルリストのサイズを調整すべきかどうか、またはエントリの基準を調整すべきかどうかを決定するために、高優先隣接セルリスト全体に対する信号強度測定値または信号品質測定値が分析されてもよい。従って、いくつかの実施形態によれば、高優先隣接セル数は、所定の閾値を超える信号強度を有するセル数が所定数未満に落ちる場合、上方修正されてもよい。同様に、高優先セル数は、いくつかの実施形態によれば高優先セルに関係する信号強度が著しく高いとき、下方修正されてもよい。
【００３６】
高優先隣接セルリストもしくは低優先隣接セルリストの一方かまたは両方の測定スケジュールを調整すべきかどうかを決定するために、類似の基準が評価されてもよい。例として、高優先隣接セルリストの候補セルの測定は、高優先隣接セルリストの少なくとも所定の最低数のセルが所定の閾値を超える信号強度測定値を有する場合、頻度を少なく変更されてもよい。同様に、高優先セルの測定は、所定の閾値を超える信号強度を有する高優先隣接セルリストのセルが所定の最低数より少ない場合、より頻繁に行われてもよい。いくつかの実施形態によれば、低優先隣接セルリストの測定スケジュールの調整も行われてもよい。例えば、高信号強度の候補セルが十分にある場合、低優先セルの必要とされる確率がより低いので、低優先セル測定は減らされてもよい。
【００３７】
図４に示されていないが、セル識別情報確認手順が、信号品質測定と並行して実行されてもよい。従っていくつかの実施形態によれば、ブロック４４０（高優先セルに対して）およびたぶんブロック４６０（低優先セルに対して）で、対応するセルに対する信号強度測定とともに、セルＩＤ確認が周期的に実行されてもよい。しかし上述のように、いくつかの実施形態によれば、候補セルのセル識別情報は、測定間隔より長い間隔で周期的に確認されてもよい。他の実施形態によれば、低優先セルに対するセル識別情報確認は完全に省略されてもよい。
【００３８】
図５は、本明細書に記載の方法の１つ以上に従って隣接セル情報を維持管理するように構成された例示的な移動端末５００の機能ブロック図を提供する。移動端末５００は、アンテナ５１５に接続された無線周波数（ＲＦ）アナログ回路５１０と、ベースバンド信号処理部５２０と、メモリ５３０とを備える。ＲＦアナログ回路５１０は、移動機５００と在圏基地局との間で伝達物を送受信するために、従来の無線周波数コンポーネントを備える。ベースバンド信号処理部５２０は、１つ以上の汎用または特製のマイクロプロセッサ、マイクロコントローラおよびまたはデジタル信号プロセッサ（ＤＳＰ）を備えてもよく、いくつかの実施形態によればメモリ５３０に格納されたプログラムコードを使用して、各リストがハンドオーバ候補のセルに対応する１つ以上の隣接セルエントリを備える高優先隣接セルリストおよび低優先隣接セルリストを維持管理するように構成される。ベースバンド信号処理部５２０とＲＦアナログ回路５１０は、第１の測定スケジュールに従って高優先隣接セルリストの候補セルの信号強度測定を行い、第２の測定スケジュールに従って低優先隣接セルリストの候補セルの信号強度測定を行うようにさらに構成される。第２の測定スケジュールは、１つ以上の実施形態において頻度のより低い測定に係わる。
【００３９】
本発明は、もちろん、本発明の範囲および必須の特徴から逸脱することなしに、本明細書に記載の用途以外の他の特定の用途で実行されてもよい。それ故、本発明の実施形態は、あらゆる面で説明目的で提供されているにすぎず、限定目的で提供されてはいないと考えられるべきものであり、添付した特許請求の範囲の趣旨および均等の範囲内に入るすべての変更は、その中に包含することを意図している。
【００４０】
本願は、２００７年８月１６日に出願された「ユーザ端末用の隣接セルリスト管理」と称する米国仮特許出願第６０／９５６２０３号の米国特許法第１１９条（ｅ）に基づく優先権を主張するものである。
【図１】
2010537478.tif 000003
【図２】
2010537478.tif 000004
【図３Ａ】
2010537478.tif 000005
【図３Ｂ】
2010537478.tif 000006
【図４】
2010537478.tif 000007
【図５】
2010537478.tif 000008
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
移動局においてハンドオーバの際に使用される隣接セルリストを維持管理する方法であって、
ハンドオーバの候補となる候補セルに対応した１つ以上の隣接セルのエントリを備えた、高優先隣接セルリストおよび低優先隣接セルリストを維持管理するステップと、
第１の測定スケジュールにしたがって前記高優先隣接セルリストに属している候補セルについて信号強度測定を実行するステップと、
前記低優先隣接セルリストに属している候補セルについての信号強度測定の頻度が前記高先隣接セルリストに属している候補セルについて信号強度測定の頻度よりも少なくなるように前記第１の測定スケジュールとは異なった第２の測定スケジュールにしたがって前記低優先隣接セルリストに属している候補セルについて信号強度測定を実行するステップと
を有し、
高優先隣接セルリストおよび低優先隣接セルリストを維持管理する前記ステップは、
前記高優先隣接セルリストの隣接セルのエントリと、前記低優先隣接セルリストの隣接セルのエントリとを、前記対応する候補セルの信号品質を示す測定値に基づいて、調整することを特徴とする方法。
【請求項２】
高優先隣接セルリストおよび低優先隣接セルリストを維持管理する前記ステップは、
前記候補セルの信号強度の測定値が所定値を超えて変化すると、前記高優先隣接セルリストから前記低優先隣接セルリストへ隣接セルのエントリを移動するステップ
を含むことを特徴とする請求項１に記載の方法。
【請求項３】
高優先隣接セルリストおよび低優先隣接セルリストを維持管理する前記ステップは、
第１の時間間隔または第１の所定数の測定値において前記候補セルの信号強度の測定値が第１の閾値レベル未満に変化すると、前記高優先隣接セルリストから前記低優先隣接セルリストへ隣接セルのエントリを移動するステップ
を含むことを特徴とする請求項１に記載の方法。
【請求項４】
高優先隣接セルリストおよび低優先隣接セルリストを維持管理する前記ステップは、
第２の時間間隔または第２の所定数の測定値において前記候補セルの信号強度の測定値が第２の閾値レベルを超えて変化すると、前記低優先隣接セルリストから前記高優先隣接セルリストへ隣接セルのエントリを移動するステップ
を含むことを特徴とする請求項１に記載の方法。
【請求項５】
対応したエントリを前記高優先隣接セルリストへ移動するのに先立って、候補セルに関連付けられているセル識別情報を確認するステップをさらに有することを特徴とする請求項４に記載の方法。
【請求項６】
高優先隣接セルリストおよび低優先隣接セルリストを維持管理する前記ステップは、
前記高優先隣接セルリストに属している候補セルと在圏セルとのいずれか一方、または、該候補セルと該在圏セルとの両方についての信号強度の測定値を評価するステップと、
前記評価の結果にしたがって前記高優先隣接セルリストに含まれているエントリの数を調整するステップと
を含むことを特徴とする請求項１に記載の方法。
【請求項７】
前記高優先隣接セルリストに含まれているエントリの数を調整する前記ステップは、
前記高優先隣接セルリストに含まれているエントリのうち第１の予め定められた閾値を超えている信号強度の測定値に対応しているエントリの数が少なくとも所定の最小の数である場合、前記高優先隣接セルリストから１つ以上のエントリを削除するステップ
を含むことを特徴とする請求項６に記載の方法。
【請求項８】
前記高優先隣接セルリストに含まれているエントリの数を調整する前記ステップは、
前記高優先隣接セルリストに含まれているエントリのうち第２の予め定められた閾値を超えている信号強度の測定値に対応したエントリの数が所定の最小の数のエントリ未満となった場合、前記高優先隣接セルリストへ１つ以上のエントリを追加するステップ
を含むことを特徴とする請求項６に記載の方法。
【請求項９】
高優先隣接セルリストおよび低優先隣接セルリストを維持管理する前記ステップは、
在圏セルについて１つ以上の信号強度の測定値を評価するステップと、
前記評価に基づいて前記第１の測定スケジュールを調整するステップと
を含むことを特徴とする請求項１に記載の方法。
【請求項１０】
高優先隣接セルリストおよび低優先隣接セルリストを維持管理する前記ステップは、
前記高優先隣接セルリストに登録されている候補セルについて１つ以上の信号強度の測定値を評価するステップと、
前記測定値の評価の結果に基づいて前記第１の測定スケジュールを調整するステップとを含むことを特徴とする請求項１に記載の方法。
【請求項１１】
前記評価に基づいて前記第１の測定スケジュールを調整する前記ステップは、
前記高優先隣接セルリストに含まれているエントリのうち第１の予め定められた閾値を超えている信号強度の測定値に対応しているエントリの数が少なくとも所定の最小の数である場合、前記高優先隣接セルリストに属している候補セルについての信号強度の測定の頻度を低下させるステップ
を含むことを特徴とする請求項１０に記載の方法。
【請求項１２】
在圏基地局から１つ以上の隣接セルの識別情報を受信するステップと、
前記受信した識別情報を前記高優先隣接セルリストと前記低優先隣接セルリストと比較するステップと、
新しい隣接セルの識別情報に対応した隣接セルエントリを前記高優先隣接セルリストに追加するステップと
をさらに有することを特徴とする請求項１に記載の方法。
【請求項１３】
新しい隣接セルを発見するために１つ以上の周波数範囲にわたりスキャンを実行するステップと、
前記高優先隣接セルリストに対して新しい隣接セルについての隣接セルエントリを追加するステップと
を含むことを特徴とする請求項１に記載の方法。
【請求項１４】
第１の識別情報確認スケジュールにしたがって前記高優先隣接セルリストにおける候補セルについての識別情報を確認するステップと、
第２の識別情報確認スケジュールにしたがって前記低優先隣接セルリストにおける候補セルについての識別情報を確認するステップと
をさらに有することを特徴とする請求項１に記載の方法。
【請求項１５】
前記高優先隣接セルリストにおける候補セルについての識別情報が確認されてからの前記移動局が移動した距離を評価するステップと、
前記距離が所定の距離を越えた場合、前記高優先隣接セルリストにおける候補セルについての識別情報を確認するステップと
をさらに有することを特徴とする請求項１に記載の方法。
【請求項１６】
前記移動局の動きを評価するステップと、
前記移動局の動きに従って前記第１の測定スケジュールと前記第２の測定スケジュールのいずれか一方、または、該第１の測定スケジュールと該第２の測定スケジュールとの両方を調整するステップと
をさらに有することを特徴とする請求項１に記載の方法。
【請求項１７】
第１の報告スケジュールにしたがって前記高優先隣接セルリストにおける候補セルについての信号強度の測定値を基地局へ報告するステップと、
第２の報告スケジュールにしたがって前記低優先隣接セルリストにおける候補セルについての信号強度の測定値を基地局へ報告するステップと
をさらに有することを特徴とする請求項１に記載の方法。
【請求項１８】
移動局であって、
送受信機部と、
１つ以上の処理回路と
を備え、
前記１つ以上の処理回路は、
ハンドオーバの候補となる候補セルに対応した１つ以上の隣接セルのエントリを備えた、高優先隣接セルリストおよび低優先隣接セルリストを維持し、
第１の測定スケジュールにしたがって前記高優先隣接セルリストに属している候補セルについての信号強度測定を、前記送受信機部を使用して実行し、
前記低優先隣接セルリストに属している候補セルについての信号強度測定の頻度が前記高先隣接セルリストに属している候補セルについて信号強度測定の頻度よりも少なくなるように前記第１の測定スケジュールとは異なった第２の測定スケジュールにしたがって前記低優先隣接セルリストに属している候補セルについての信号強度測定を前記送受信機部を使用して実行する回路であり、
さらに、前記１つ以上の処理回路は、前記高優先隣接セルリストの隣接セルのエントリと、前記低優先隣接セルリストの隣接セルのエントリとを、前記対応する候補セルの信号品質を示す測定値に基づいて、調整することによって、前記高優先隣接セルリストおよび前記低優先隣接セルリストを維持管理する回路であることを特徴とする移動局。
【請求項１９】
前記１つ以上の処理回路は、第１の時間間隔または第１の所定数の測定値において前記候補セルの信号強度の測定値が第１の閾値レベル未満に変化すると、前記高優先隣接セルリストから前記低優先隣接セルリストへ隣接セルのエントリを移動することによって、前記高優先隣接セルリストおよび前記低優先隣接セルリストを維持管理することを特徴とする請求項１８に記載の移動局。
【請求項２０】
前記１つ以上の処理回路は、第２の時間間隔または第２の所定数の測定値において前記候補セルの信号強度の測定値が第２の閾値レベルを超えて変化すると、前記低優先隣接セルリストから前記高優先隣接セルリストへ隣接セルのエントリを移動することによって、前記高優先隣接セルリストおよび前記低優先隣接セルリストを維持管理することを特徴とする請求項１８に記載の移動局。
【請求項２１】
前記１つ以上の処理回路は、前記高優先隣接セルリストに属している候補セルと在圏セルとのいずれか一方、または、該候補セルと該在圏セルとの両方についての信号強度の測定値を評価し、前記評価の結果にしたがって前記高優先隣接セルリストに含まれているエントリの数を調整することによって、前記高優先隣接セルリストおよび前記低優先隣接セルリストを維持管理することを特徴とする請求項１８に記載の移動局。
【請求項２２】
前記１つ以上の処理回路は、前記高優先隣接セルリストに含まれているエントリのうち第１の予め定められた閾値を超えている信号強度の測定値に対応しているエントリの数が少なくとも所定の最小の数である場合、前記高優先隣接セルリストから１つ以上のエントリを削除することによって、前記高優先隣接セルリストおよび前記低優先隣接セルリストを維持管理することを特徴とする請求項２１に記載の移動局。
【請求項２３】
前記１つ以上の処理回路は、在圏セルと、前記高優先隣接セルリストに属している候補セルとのいずれか一方または両方についての信号強度の測定値を評価し、前記評価に基づいて前記第１の測定スケジュールを調整することを特徴とする請求項１８に記載の移動局。
【請求項２４】
前記１つ以上の処理回路は、前記高優先隣接セルリストに含まれているエントリのうち第１の予め定められた閾値を超えている信号強度の測定値に対応しているエントリの数が少なくとも所定の最小の数である場合、前記高優先隣接セルリストに属している候補セルについての信号強度の測定の頻度を低下させることによって、前記第１の測定スケジュールを調整することを特徴とする請求項２３に記載の移動局。
【請求項２５】
前記１つ以上の処理回路は、
在圏基地局から１つ以上の隣接セルの識別情報を受信し、
前記受信した識別情報を前記高優先隣接セルリストと前記低優先隣接セルリストと比較し、
新しい隣接セルの識別情報に対応した隣接セルエントリを前記高優先隣接セルリストに追加することを特徴とする請求項１８に記載の移動局。
【国際調査報告】
2010537478.tif 000009
2010537478.tif 000010
2010537478.tif 000011
2010537478.tif 000012